(57)【要約】      （修正有）【課題】  物品の大きさや形状が異なる場合にも常にクッション性を示すダンボール製緩衝材を提供する。【解決手段】  長尺ダンボール紙を、短軸線を折畳み線として折り返すことにより互いに対面するように形成された基部パネル２とクッション性パネル３とからなり、クッション性パネル３は、短軸線を折畳み線としての折り返しにより蛇腹状に形成された少なくとも１個の緩衝部１０を有しており、基部パネル２とクッション性パネル３とは、何れか一方のパネルへの切込みによって形成された折込み片と、他方のパネルに形成された切欠き部１５との係合により互いに面接するように保持されていることを特徴とする。【選択図】  図１
2005075380.tif 000002
【特許請求の範囲】
【請求項１】
長尺ダンボール紙を、短軸線を折畳み線として折り返すことにより互いに対面するように形成された基部パネルとクッション性パネルとからなり、該クッション性パネルは、短軸線を折畳み線としての折り返しにより蛇腹状に形成された少なくとも１個の緩衝部を有しており、基部パネルとクッション性パネルとは、何れか一方のパネルへの切込みによって形成された折込み片と、他方のパネルに形成された切欠き部との係合により互いに面接するように保持されていることを特徴とするダンボール緩衝材。
【請求項２】
前記折込み片は、基部パネルに形成されている請求項１に記載のダンボール緩衝材。
【請求項３】
前記緩衝部は、所定の間隔で複数形成されている請求項１に記載のダンボール緩衝材。
【発明の詳細な説明】
【技術分野】
【０００１】
本発明は、包装箱に収容された物品の周囲に詰め込まれる緩衝材に関するものであり、より詳細には、ダンボール紙により作製されたダンボール緩衝材に関する。
【背景技術】
【０００２】
包装箱内に物品を収容し、運搬、搬送、保管などを行う場合、衝撃による物品の破損を防止するために、種々の形状の緩衝材が物品とともに包装箱内に詰められている。このような緩衝材として、ダンボール製のものも使用されている。（特許文献１参照）。
【特許文献１】実開平５−１３９６６号公報
【発明の開示】
【発明が解決しようとする課題】
【０００３】
ダンボール製緩衝材は、安価であり、資源の再利用という点で広く使用されている。しかるに、物品の大きさが多少異なる場合或いは形状が異なる場合には、当該物品に応じて、形状や大きさの異なる緩衝材を使用しなければならないという煩わしさがある。また、物品の側面保護のためには、一般に多数の緩衝材を使用しなければならないという問題もある。
【０００４】
従って、本発明の目的は、物品の大きさや形状が異なる場合にも常にクッション性を示すダンボール製緩衝材を提供することにある。
本発明の他の目的は、特に物品の側面保護に好適であり、物品保護に十分なクッション性を１個で示すダンボール製緩衝材を提供することにある。
【課題を解決するための手段】
【０００５】
本発明によれば、長尺ダンボール紙を、短軸線を折畳み線として折り返すことにより互いに対面するように形成された基部パネルとクッション性パネルとからなり、該クッション性パネルは、短軸線を折畳み線としての折り返しにより蛇腹状に形成された少なくとも１個の緩衝部を有しており、基部パネルとクッション性パネルとは、何れか一方のパネルへの切込みによって形成された折込み片と、他方のパネルに形成された切欠き部との係合により互いに面接するように保持されていることを特徴とするダンボール緩衝材が提供される。
【０００６】
本発明においては、
１．前記折込み片は、基部パネルに形成されていること、
２．前記緩衝部は、所定の間隔で複数形成されていること、
が好適である。
【発明の効果】
【０００７】
本発明のダンボール緩衝材は、包装箱の大きさに応じて、その長さを設定しておくことにより、特に物品の側面保護用の緩衝材として使用される。この場合、物品の側面を巻くようにして物品の側面と包装箱内面との間隙に充填されるが、蛇腹状の緩衝部の高さは、物品の側面と包装箱内面との間隔に追随し得るため、当該物品の大きさや形状が多少異なったときにも、衝撃から物品を保護するに十分なクッション性が常に示される。
【０００８】
また、本発明のダンボール緩衝材は、長尺状ダンボール紙の折畳み等の簡単な作業によって容易に作製できるという利点もある。
【発明を実施するための最良の形態】
【０００９】
本発明のダンボール緩衝材の平面図を示す図１及びこのダンボール緩衝材の一部展開図を示す図２において、全体として１で示すこの緩衝材は、基部パネル２とクッション性パネル３とからなっており、これらは、長尺ダンボール紙を、短軸線を折畳み線（図１においてＡで示す）として折り返すことにより互いに対面するように形成されている。
【００１０】
クッション性パネル３は、複数の緩衝部１０を有している。この緩衝部１０は、短軸線を折畳み線としての折り返しにより蛇腹状に形成されており、図１において、緩衝部１０の稜線乃至谷線１０ａ，１０ｂ，１０ｃ，１０ｅ，１０ｆは、同様の番号で図２に示されており、これらの折畳み線に沿ってクッション性パネル３を折っていくことにより、緩衝部１０を形成することができる。また、この緩衝部１０において、その頂面１０Ｘは、フラットな面となっている。即ち、この面１０Ｘが、後述する包装箱内に収容される物品の面に面接し、所定のクッション効果が得られるものである。
【００１１】
また、基部パネル２の上端及び下端には、適当な間隔で切込みによる折込み片１２が形成されており、クッション性パネル３には、このような折込み片１２と係合する切欠き１５が形成されている。即ち、折込み片１２を折り込んで切欠き１５内に嵌め込むことにより、基部パネル２とクッション性パネル３とが一体的に接合される。尚、折り込み片１２をクッション性パネル３に設け、切欠き１５を基部パネル２に設けることも可能であるが、基部パネル２を包装箱の内面に密着させて保持させるという点で、折込み片１２を基部パネル２に設けることが好ましい。
【００１２】
また、折込み片１２と切欠き１５とをがっちりと係合させるためには、図２に示されているように、折込み片１２の形状を先端が付け根部（折り曲げ部）よりも幅広の台形状とし、切欠き１５の形状を矩形状とし、切欠き１５の幅ｗ１と、折込み片１２の付け根部の幅Ｗ２とを等しく設定しておくことが好適である。これにより、折込み片１２は楔状に強固に切欠き１５と係合し、基部パネル２とクッション性パネル３との接合強度を高めることができる。
【００１３】
上述した本発明のダンボール緩衝材１は、図３に示されるように、包装箱２０の内周長にほぼ一致するような長さに設定され、各コーナー部で折り曲げられて内部に収容された物品２２の側面を取り巻くように、包装箱２０内に充填され、蛇腹状の緩衝部１０でのクッション効果により、外部からの衝撃から物品２２を保護する。
【００１４】
即ち、このダンボール緩衝材１の緩衝部１０は、物品２２の大きさに応じて高さが伸縮するため、物品２２の大きさや形状が異なったとしても、常に一定のクッション効果を得ることができる。
【００１５】
上記のようなダンボール緩衝材１においては、緩衝部１０の数は、特に制限されるものではないが、一般的には、包装箱２０の各側面毎に少なくとも１個、好ましくは２個以上の緩衝部１０が存在するような数とするのがよい。
【００１６】
また、このダンボール緩衝材１は、一本で物品２２の周囲を完全に取り巻くような長さとするのがよいが、必要により、包装箱２０の各側面幅に対応するような長さとし、複数本で物品２２の周囲を取り巻くようにすることも可能である。
【００１７】
このような本発明のダンボール緩衝材１は、長尺状ダンボール紙の折り曲げや切込み等の簡単な作業によって、容易に作製できる。
【図面の簡単な説明】
【００１８】
【図１】本発明のダンボール緩衝材の平面図を示す。
【図２】図１のダンボール緩衝材の一部展開図を示す。
【図３】図１のダンボール緩衝材の使用状態を示す図である。
【符号の説明】
【００１９】
１：ダンボール緩衝材
２：基部パネル
３：クッション性パネル
１０：緩衝部
１２：折込み片
１５：切欠き
２０：包装箱
２２：物品
【図１】
2005075380.tif 000003
【図２】
2005075380.tif 000004
【図３】
2005075380.tif 000005